(57)【特許請求の範囲】
【請求項１】
ステレオ音声機器のＬ，Ｒのモニター用信号端子にステレオヘッドホンのＬ，Ｒの信号端子をそれぞれ接続するとともに、前記ステレオ音声機器の接地端子に前記ステレオヘッドホンの接地端子を接続する接続装置において、
前記ステレオ音声機器のＬ，Ｒのモニター用信号端子間を実質的に短絡させ、および／または前記ステレオ音声機器および前記ステレオヘッドホンの各接地端子同士の接続を開放にする手段を設けてなることを特徴とするステレオ音声位相確認装置。
【請求項２】
ステレオ音声機器の接地端子とＬのモニター用信号端子に、モノのイヤホンの一方の信号端子と他方の信号端子をそれぞれ接続する接続装置において、
前記ステレオ音声機器のＬ，Ｒのモニター用信号端子間を実質的に短絡した第１の状態、および前記ステレオ音声機器の接地端子と前記モノのイヤホンの一方の信号端子間の接続を開放にするとともに前記ステレオ音声機器のＲのモニター用信号端子を前記モノのイヤホンの一方の信号端子に接続した第２の状態のいずれか一方の状態をとる手段を設けてなることを特徴とするステレオ音声位相確認装置。
【発明の詳細な説明】
【０００１】
【発明の属する技術分野】
本発明は、ステレオ音声の位相を簡易に確認するためのステレオ音声位相確認装置に関する。
【０００２】
【従来の技術】
正しいステレオ音声の再生のためには、ステレオ音声の放送や録音に際して、Ｌ（左）の音声信号とＲ（右）の音声信号とが同位相で変調器や録音増幅器に供給されなければならない。
【０００３】
ところが、放送等の音声現場においては、ミキシング卓の同位相・逆位相切り替えスイッチの設定間違い、あるいは音声ケーブルの接続間違いなどでＬとＲの位相が逆位相になることがある。後者に関しては、音声コネクタは、ステレオ音声用として通常３ピンのコネクターを使用しているが、偶にケーブルの接続間違いが発見されることがある。また、ステレオ音声の増幅には演算増幅器が使用されることも多いが、誤って、Ｌ，Ｒのうち一方の系統の極性を間違えることがある。
【０００４】
以上、いずれの理由で発生したものであっても、スレテオ音声のＬ，Ｒの逆位相は排除されなければならない。このため、ステレオ音声のＬ，Ｒの位相状態を確認するための装置として、Ｌ，Ｒの音声のリサージュ図形を表示する装置がある。この装置においては、Ｌ，Ｒの音声が同位相の場合には右上がりのリサージュ図形になり、Ｌ，Ｒの音声が逆位相の場合には右下がりのリサージュ図形になる。このリサージュ図形を見て担当者が位相状態を判断するわけであるが、リサージュ図形を表示するためには、一般のシンクロスコープを用いたり、ステレオ音声の位相監視専用のシンクロスコープを用いたりしている。
【０００５】
また、別な方法として、Ｌ，Ｒ位相確認のための位相計（例えば、ヤマキ電気株式会社YSC-1)もあるが、位相計では、Ｌ，Ｒの音声が同位相の場合には針が右に振れ、Ｌ，Ｒの音声が逆位相の場合には針が左に振れるようになっている。以上、いずれの場合のおいても、監視装置（後者の場合は、指示計器）が必要で、ロケ現場あるいは中継現場等での使用は煩雑である。
【０００６】
【発明が解決しようとする課題】
このような理由から、ロケ現場あるいは中継現場では、専用のＬ，Ｒ位相確認装置を使用しないで、ステレオヘッドホンでＬ，Ｒの音声を聞くだけで確認していたが、ステレオ音声が同位相であるか、逆位相であるかの判断は難しく、熟練を要していた。
【０００７】
本発明の目的は、以下の知見をもとに、ロケ現場あるいは中継現場でステレオ音声の位相状態を簡易に確認することができるステレオ音声位相確認装置を提供することにある。
【０００８】
すなわち、上記知見とは、ステレオ音声信号の和信号あるいは差信号をステレオヘッドホンやモノーラル（以下、単に「モノ」という）イヤホンで聞いて判断すればＬ，Ｒの音声信号が同位相であるか、逆位相であるかの判断が容易にできるということである。
まず、Ｌ，Ｒの音声信号が同位相であれば、和信号を聞いた場合に、様々な音は殆どすべてがステレオで聞いた場合と同じレベルで聞こえるが、差信号を聞いた場合には、ステレオで聞いた場合に中央に定位していた音のレベルが極端に低下する。
【０００９】
これに対し、Ｌ，Ｒの音声信号が逆位相であれば、和信号を聞いた場合に、ステレオで聞いた場合に中央に定位していた音のレベルが極端に低下するが、差信号を聞いた場合には、様々な音は殆どすべてがステレオで聞いていた場合と同じレベルで聞こえる。
このように、和信号あるいは差信号をステレオヘッドホンやモノのイヤホンで聞くだけで容易にステレオ音声の位相状態を確認することができる。
【００１０】
【課題を解決するための手段】
上記目的を達成するために、本発明ステレオ音声位相確認装置は、ステレオ音声機器のＬ，Ｒのモニター用信号端子にステレオヘッドホンのＬ，Ｒの信号端子をそれぞれ接続するとともに、前記ステレオ音声機器の接地端子に前記ステレオヘッドホンの接地端子を接続する接続装置において、前記ステレオ音声機器のＬ，Ｒのモニター用信号端子間を実質的に短絡させ、および／または前記ステレオ音声機器および前記ステレオヘッドホンの各接地端子同士の接続を開放にする手段を設けてなることを特徴とするものである。
【００１１】
また、本発明スレテオ音声位相確認装置は、ステレオ音声機器の接地端子とＬのモニター用信号端子に、モノのイヤホンの一方の信号端子と他方の信号端子をそれぞれ接続する接続装置において、前記ステレオ音声機器のＬ，Ｒのモニター用信号端子間を実質的に短絡した第１の状態、および前記ステレオ音声機器の接地端子と前記モノのイヤホンの一方の信号端子間の接続を開放にするとともに前記ステレオ音声機器のＲのモニター用信号端子を前記モノのイヤホンの一方の信号端子に接続した第２の状態のいずれか一方の状態をとる手段を設けてなることを特徴とするものである。
【００１２】
【発明の実施の形態】
以下に添付図面を参照し、発明の実施の形態に基づいて本発明を詳細に説明する。
上述したように、本発明ステレオ音声位相確認装置は、当該装置を用いてステレオ音声Ｌ，Ｒの和信号（Ｌ＋Ｒ）あるいは差信号（Ｌ−ＲまたはＲ−Ｌ）を合成することによって、ステレオ音声の位相状態を容易に確認することができるようにしたものである。
【００１３】
一般に、ミキシングアンプや録音機などの音声機器にはヘッドホンによるモニター用信号端子がついている。特に、ステレオ音声機器の場合、ステレオヘッドホンによるモニター用信号端子にステレオヘッドホンを接続してステレオ音声を聞くことができるようになっている。ここに、Ｌ，Ｒの音声信号は、モニター用信号端子から取り出され、それぞれ別々の増幅器によって増幅された音声信号である。通常、ステレオ音声機器のモニター用信号端子はアンバランスタイプのものが多く、接地がＬ，Ｒに共通で、これにＬ信号用とＲ信号用の端子の合計３個の信号端子が設けらている。
【００１４】
そこで、ステレオ音声機器のＬ，Ｒの信号端子間を短絡した場合、Ｌ，Ｒの信号が混合されて左右の耳のヘッドホンに流れ、それぞれの信号端子に接続されるステレオヘッドホンの左右の耳に同時に和信号（Ｌ＋Ｒ）の音声を提示することができる。
【００１５】
また、ステレオ音声機器の接地端子とステレオヘッドホンの接地端子の相互間の接続を行わない、すなわち両接地端子同士の接続が開放になっている場合、両Ｌ端子間およびＲ端子間のみでステレオ音声機器に接続されるステレオヘッドホンの左右の耳に同時に差信号（Ｌ−ＲまたはＲ−Ｌ）の音声を提示することができる。
【００１６】
上記を実現するため、本発明ステレオ音声位相確認装置の実施形態においては、まず、ステレオ音声機器とステレオヘッドホンないしモノのイヤホンとを、接続する装置を想定し、その装置において、スイッチ（オン−オフスイッチ）や切り替えスイッチを、上記ステレオ音声機器と上記ステレオヘッドホンないしモノのイヤホンとを接続する導線間または導線の途中に介挿する構成をとっている。
【００１７】
以下に、本発明ステレオ音声位相確認装置の、第１から第４までの実施形態について説明する。
図１は、本発明装置の第１の実施形態を示している。
本実施形態では、ステレオ音声機器Ｌ，Ｒのモニター用信号端子と接地端子Ｇは、ステレオヘッドホンのＬ，Ｒの信号端子と接地端子Ｇに、それぞれ接続されるが、図示のようにＬ，Ｒの端子間には常開接点（白三角で示す接点）を有するスイッチＳＷ１が挿入されている。
【００１８】
このスイッチＳＷ１は、通常開いていて、Ｌの信号は左の耳に、Ｒの信号は右の耳に提示されるので、通常のステレオ音声を聞くことができる。しかし、スイッチを閉じた場合、Ｌの信号が左右の耳に提示されるだけでなく、Ｒの信号も左右の耳に提示されるので、左右の耳はいずれも和信号（Ｌ＋Ｒ）を聞くことになる。すなわち、スイッチを閉じないことと閉じることによって、それぞれステレオ音声と和信号とを時分割的に聞き比べることが可能になる。
【００１９】
図２は、本発明装置の第２の実施形態を示している。
本実施形態においても、ステレオ音声機器のＬ，ＲおよびＧ端子はステレオヘッドホンのＬ，ＲおよびＧ端子にそれぞれ接続されるが、図示のように、両（ステレオ音声機器とステレオヘッドホンの）Ｇ端子間に常閉接点（黒三角で示す接点）を有するスイッチＳＷ２が挿入されている。
【００２０】
このスイッチＳＷ２は、通常閉じていて、Ｌの信号は左の耳に、Ｒの信号は右の耳に提示されるので、通常のステレオ音声を聞くことができる。しかし、スイッチを開いた場合、接地が開放になるので、左右の耳はいずれもＬの信号とＲの信号の差信号（Ｌ−ＲまたはＲ−Ｌ）を聞くことになる。すなわち、スイッチを開かないことと開くことによって、それぞれステレオ音声と差信号とを時分割的に聞き比べることが可能になる。
【００２１】
図３は、本発明装置の第３の実施形態を示している。
本実施形態においても、ステレオ音声機器とステレオヘッドホンの接続形態は第１および第２の実施形態と同じであるが、図示のように、Ｌ，Ｒの端子間に常閉接点（黒三角で示す接点）を有するスイッチＳＷ３と、両Ｇ端子間に常閉接点（黒三角で示す接点）ＳＷ４が挿入されている。
【００２２】
これらスイッチＳＷ３およびスイッチＳＷ４はいずれも、通常閉じているので、図１の和信号を合成する回路と同じになる。従って、Ｌの信号は左右の耳に提示され、また、Ｒの信号も左右の耳に提示される。すなわち、左右の耳にはいずれも和信号（Ｌ＋Ｒ）が提示される。これに対し、スイッチＳＷ３およびスイッチＳＷ４をともに開くことによって、図２の差信号を合成する回路と同じになり、従って、左右の耳はいずれもＬの信号とＲの信号の差信号（Ｌ−ＲまたはＲ−Ｌ）を聞くことになる。すなわち、スイッチＳＷ３，ＳＷ４をともに閉じるか開くことによって、それぞれステレオ音声の和信号（Ｌ＋Ｒ）と差信号（Ｌ−ＲまたはＲ−Ｌ）とを時分割的に聞き比べることが可能になる。
【００２３】
図４は、本発明装置の第４の実施形態を示している。
本実施形態は、ステレオ音声機器にモノのイヤホンを接続してステレオ音声の位相を確認するように構成した実施形態である。モノのイヤホンのプラグはＲとＧが共通になっていて、プラグをステレオ音声機器のジャックに差し込んだ状態ではＲの信号はイヤホンに流れず、Ｌの信号のみが聞こえるようになっている。
【００２４】
この状態において、ステレオ音声機器の接地端子Ｇとモノのイヤホンの一方の端子Ａとの間に常閉接点（黒三角で示す接点）を有するスイッチＳＷ５が挿入されている。また、Ｒのモニター用信号端子の信号を、モノのイヤホンの上記他方の信号端子Ｂと一方の信号端子Ａとに切り替え供給するための切り替えスイッチＳＷ６が、図４に示すように配置されている。この切り替えスイッチＳＷ６の常閉接点にはモノのイヤホンの他方の信号端子Ｂ側が、常開接点には一方の信号端子Ａ側がそれぞれ接続されている。
【００２５】
この切り替えスイッチＳＷ６は、スイッチＳＷ５と連動動作し、スイッチＳＷ５が閉じているときには、Ｒのモニター用信号端子の信号をモノのイヤホンの他方の信号端子Ｂに供給するように、スイッチ６の可動片は常閉接点側にある。
【００２６】
以上の構成により、通常、すなわち、スイッチＳＷ５が閉で、同時に切り替えスイッチＳＷ６の可動片が常閉接点側にあるときは、モノのイヤホンは和信号（Ｌ＋Ｒ）によって駆動され、和信号を聞くことになる。これに対し、スイッチＳＷ５が開となり、同時に切り替えスイッチＳＷ６の可動片が常開接点側にあるときは、イヤホンは差信号（Ｌ−ＲまたはＲ−Ｌ）によって駆動され、差信号を聞くことになる。すなわち、スイッチＳＷ５と切り替えスイッチＳＷ６を上記状態に設定することによって、それぞれステレオ音声の和信号（Ｌ＋Ｒ）と差信号（Ｌ−ＲまたはＲ−Ｌ）とを時分割的に聞き比べることが可能になる。
【００２７】
以上説明したように、上述した第１から第４の実施形態においては、スイッチを用いてステレオ音声機器のＬ，Ｒのモニター用信号端子間を実質的に短絡させ、あるいは、ステレオ音声機器の接地端子と、ステレオヘッドホンの接地端子間またはモノのイヤホンの一方の端子間を開放にし、また、切り替えスイッチを用いて接続替えを行うものとしたが、これらスイッチや切り替えスイッチは、押しボタンタイプのものを使用することにより、一層操作性が向上する。
【００２８】
また、上述の知見により、図３においてＲの信号線を介挿したかたちでスイッチＳＷ３への分岐点よりもステレオヘッドホン側にもう１つのオンオフスイッチを新たに設け、スイッチＳＷ３を閉としたとき（スイッチＳＷ４は閉）はその新たに設けたスイッチを開とし、スイッチＳＷ３を開としたとき（スイッチＳＷ４は開）には閉とするようにすれば、図４の構成と同一となる。従って、この接続装置では新たに設けたスイッチの選択を適宜行なうことにより、ステレオヘッドホンかモノのイヤホンを問わず、ステレオ音声位相を確認することができる。
【００２９】
【発明の効果】
本発明によれば、ステレオ音声機器のモニター信号（Ｌ，Ｒ信号）からきわめて簡易に和信号（Ｌ＋Ｒ）や差信号（Ｌ−ＲまたはＲ−Ｌ）を生成することができるため、それら信号からステレオ音声の位相を確認することができ、従って、従来のように、ステレオ音声が逆位相であることに気付かず、左右の音声信号を逆位相で録音あるいは再生するといった事故を未然に防ぐことができる。
【図面の簡単な説明】
【図１】本発明ステレオ音声位相確認装置の第１の実施形態を示している。
【図２】本発明ステレオ音声位相確認装置の第２の実施形態を示している。
【図３】本発明ステレオ音声位相確認装置の第３の実施形態を示している。
【図４】本発明ステレオ音声位相確認装置の第４の実施形態を示している。
【符号の説明】
ＳＷ１，ＳＷ２，−−−，ＳＷ５  スイッチ
ＳＷ６  切り替えスイッチ
【図１】
0003850989.tif 000002
【図２】
0003850989.tif 000003
【図３】
0003850989.tif 000004
【図４】
0003850989.tif 000005